(57)【特許請求の範囲】
【請求項１】
被検体を撮影してその画像を表示する医用画像装置であって、
電源設備に設置される複数の医用画像装置における該装置による撮影時の電力使用の優先順位、待機時の待機電力、撮影時間を含む撮影条件及び前記撮影条件による撮影時の最大使用電力でなる第１情報、並びに、該装置が設置される前記電源設備の最大許容電力を設定する設定手段と、
前記設定手段によって設定された前記第１情報を送信するとともに、前記電源設備に設置された他の医用画像装置において設定された該装置による撮影時の電力使用の優先順位、待機時の待機電力、撮影時間を含む撮影条件及び前記撮影条件による撮影時の最大使用電力でなる第２情報を受信する通信手段と、
前記設定手段によって設定された前記第１情報及び前記通信手段によって受信された前記第２情報に基づいて、撮影を実行しても前記最大許容電力を超えない場合には撮影を実行させ、撮影を実行すると前記最大許容電力を超える場合には撮影を待機させる制御手段とを具備することを特徴とする医用画像装置。
【請求項２】
請求項１に医用画像装置において、
前記制御手段が撮影を待機させる場合に、撮影まで待機する時間を表示する表示手段を具備することを特徴とする医用画像装置。
【請求項３】
請求項１又は請求項２に記載の医用画像装置において、
医用画像装置は、ＭＲＩ装置、Ｘ線ＣＴ装置又はＸ線撮影装置であることを特徴とする医用画像装置。
【請求項４】
請求項１から請求項３のいずれかに記載の複数の医用画像装置が、通信ネットワークを介して接続されるとともに、前記電源設備に設置された電力使用管理システムであって、
各々の前記医用画像装置は、前記第１情報及び前記第２情報に基づいて、撮影を実行しても前記最大許容電力を超えない場合には撮影を実行し、撮影を実行すると前記最大許容電力を超える場合には撮影を待機することを特徴とする電力使用管理システム。
【請求項５】
請求項４に記載の電力使用管理システムにおいて、
複数の前記医用画像装置の間で、前記撮影時の電力使用の優先順位を変更することを特徴とする電力使用管理システム。
【発明の詳細な説明】
【０００１】
【発明の属する技術分野】
本発明は、電力使用管理システム（ｓｙｓｔｅｍ）に関し、とくに、共通の電源設備から電力が供給される複数の機器についての電力使用管理システムに関する。
【０００２】
【従来の技術】
病院等の医療施設では、磁気共鳴撮影（ＭＲＩ：Ｍａｇｎｅｔｉｃ  Ｒｅｓｏｎａｎｃｅ  Ｉｍａｇｉｎｇ）装置、Ｘ線ＣＴ（Ｃｏｍｐｕｔｅｄ  Ｔｏｍｏｇｒａｐｈｙ）装置あるいはＸ線撮影装置等、複数の医用画像装置が使用される。これら複数の医用画像装置が使用する電力は医療施設内の電源設備から供給される。
【０００３】
ＭＲＩ装置やＸ線ＣＴ装置等の医用画像装置は撮影時に大きな電力を必要とするので、撮影開始に伴って使用電力の急上昇が生じる。電源設備は複数の医用画像装置の同時撮影を可能にする最大許容電力を持つように構成されるが、医療施設の規模や形態によって自ずと限度がある。
【０００４】
そこで、電源設備の最大許容電力を超える同時撮影を防止するための措置が講じられる。同時撮影防止措置は、分電盤の手動操作による電源供給対象の切り分けによって行われる。あるいは、複数の医用画像装置間に設けた同時撮影禁止回路によって行われる。
【０００５】
【発明が解決しようとする課題】
複数の医用画像装置が医療施設内の別々な場所に分散配置されている場合は、分電盤の操作による電源供給対象の切り分けを的確に行うことは容易でなく、また、別々な場所に分散配置された医用画像装置間に同時撮影禁止回路を設けることも容易でない。
【０００６】
そこで、本発明の課題は、電源設備の最大許容電力の範囲内で複数の機器が能率良く電力を使用することを可能にする電力使用管理システムを実現することである。
【０００７】
【課題を解決するための手段】
（１）上記の課題を解決するためのひとつの観点での発明は、共通の電源設備から電力が供給される複数の機器の間でおのおのの電力使用に関わる情報を通信する通信手段と、前記複数の機器のおのおのが前記情報を参照して電力使用の可否を判定する判定手段と、を具備することを特徴とする電力使用管理システムである。
【０００８】
（１）に記載の観点での発明では、共通の電源設備から電力が供給される複数の機器の間でおのおのの電力使用に関わる情報を通信し、複数の機器のおのおのがこれら情報を参照して電力使用の可否を判定するので、電源設備の最大許容電力の範囲内で複数の機器が能率良く電力を使用することができる。
【０００９】
前記情報を前記複数の機器から前記電源設備の監視機器に通信する通信手段と、前記監視機器が前記情報を参照して各機器の電力使用の可否を決定する決定手段とを具備することが、電源設備の安全性を確保する点で好ましい。
【００１０】
前記複数の機器の間で電力使用権の移転に関わる情報を通信する通信手段を具備することが、電力使用の融通性を高める点で好ましい。
前記情報は電力使用の優先順位に関する情報を含むことが、電力使用の競合を回避する点で好ましい。
【００１１】
前記情報は最大使用電力に関する情報を含むことが、自他の最大使用電力の参照を可能にする点で好ましい。
前記情報は電力の使用時間に関する情報を含むことが、自他の使用時間の参照を可能にする点で好ましい。
【００１２】
前記情報は前記電源設備の最大許容電力に関する情報を含むことが、電源設備の最大許容電力の参照を可能にする点で好ましい。
（２）上記の課題を解決するための他の観点での発明は、共通の電源設備を通じて電力が供給される複数の機器からおのおのの電力使用に関わる情報を前記電源設備の監視機器に通信する通信手段と、前記監視機器が前記情報を参照して各機器の電力使用の可否を決定する決定手段と、を具備することを特徴とする電力使用管理システムである。
【００１３】
（２）に記載の観点での発明では、共通の電源設備を通じて電力が供給される複数の機器からおのおのの電力使用に関わる情報を電源設備の監視機器に通信し、監視機器がそれら情報を参照して各機器の電力使用の可否を決定するので、電源設備の最大許容電力の範囲内で複数の機器が能率良く電力を使用することができる。
【００１４】
前記機器は医用画像装置であることが、電源設備の最大許容電力の範囲内で複数の医用画像装置が能率良く電力を使用する点で好ましい。
前記通信手段は医用画像ネットワークを利用して通信を行うことが、管理専用の通信経路の敷設を不要にする点で好ましい。
【００１５】
前記通信手段は前記医用画像装置について業者が遠隔サービスを行うためのネットワークを利用して通信を行うことが、管理専用の通信経路の敷設を不要にする点で好ましい。
【００１６】
前記通信手段は電力供給線を利用して通信を行うが、管理専用の通信経路の敷設を不要にする点で好ましい。
【００１７】
【発明の実施の形態】
以下、図面を参照して本発明の実施の形態を詳細に説明する。なお、本発明は実施の形態に限定されるものではない。図１に医療施設における医用画像装置群のブロック（ｂｌｏｃｋ）図を示す。医用画像装置群は３台の医用画像装置１０２，１０４，１０６からなる。ここでは、医用画像装置群が３台の医用画像装置からなる例を示すが、３台に限らず適宜の複数台であってよい。医用画像装置１０２，１０４，１０６は、本発明における複数の機器の実施の形態の一例である。
【００１８】
医用画像装置１０２は例えばＭＲＩ装置である。医用画像装置１０４は例えばＸ線ＣＴ装置である。医用画像装置１０６は例えばＸ線撮影装置である。なお、医用画像装置がそれぞれ機種を異にする例を示すが、すべて同一の機種であってもよくあるいは２つの医用画像装置が同一機種で残りが異機種であってもよく、要するに適宜の機種の組み合わせでよい。
【００１９】
医用画像装置１０２，１０４，１０６は、電源設備１０８から電力ＰＷが供給される。電源設備１０８は外部から給電線５００を通じて供給される商用電力を分電して、給電線５０２，５０４，５０６を通じて医用画像装置１０２，１０４，１０６にそれぞれ給電する。
【００２０】
電源設備１０８は監視装置１１０を有する。監視装置１１０は電源設備１０８が給電する電力の総量を監視し、これが予め定められた最大許容電力を超えたとき電源設備１０８内の図示しないブレーカ（ｃｅｒｃｕｉｔ  ｂｒａｋｅｒ）を作動させて給電を遮断し、過大な電力の使用による事故発生を防止する。監視装置１１０は、本発明における監視機器の実施の形態の一例である。
【００２１】
医用画像装置１０２，１０４，１０６は、通信ネットワーク（ｎｅｔｗｏｒｋ）３００によって相互に接続されている。通信ネットワーク３００は、医用画像装置１０２，１０４，１０６による電力使用を管理するための情報通信経路として用いられる。通信ネットワーク３００は、本発明における通信手段の実施の形態の一例である。
【００２２】
通信ネットワーク３００としては、例えば院内情報システム（ｓｙｓｔｅｍ）のような医療施設内における既存の情報流通システムのネットワークが利用される。これによって、電力使用管理のために専用の通信線を敷設する必要がなくなる。
【００２３】
そのようなネットワークの一例として医用画像ネットワークがある。これは、医用画像装置が撮影した画像を統一的な電子情報として流通させるシステムである。医用画像ネットワーク用の規格として例えばＤＩＣＯＭ（Ｄｉｇｉｔａｌ  Ｉｍａｇｉｎｇ  ＆  Ｃｏｍｍｕｎｉｃａｔｉｏｎ  ｉｎ  Ｍｅｄｉｃａｌ）等がある。
【００２４】
通信ネットワーク３００としては、医用画像ネットワークの代わりに医療施設内における既存の遠隔サービスネットワークを利用するようにしてもよい。遠隔サービスネットワークとは、医用画像装置と外部のサービス（ｓｅｒｖｉｃｅ）業者の端末とを通信回線で接続し、サービス業者から医用画像装置について、稼働状況監視や故障診断等の遠隔サービスを受けるためのネットワークである。
【００２５】
図２に、医用画像装置１０２のブロック図を示す。同図に示すように、医用画像装置１０２は信号獲得部２０２を有する。信号獲得部２０２は医用画像を生成するための信号を撮影の対象から獲得するものであり、ＭＲＩ装置においては、磁気共鳴信号を獲得するためのマグネットシステム（ｍａｇｎｅｔ  ｓｙｓｔｅｍ）およびその周辺装置がこれに相当する。
【００２６】
マグネットシステムは磁気共鳴信号を獲得するための静磁場、勾配磁場およびＲＦ（ｒａｄｉｏ  ｆｒｅｑｕｅｎｃｙ）磁場を発生する。これらの磁場を発生するための電力ＰＷが電源設備１０８から供給される。
【００２７】
信号獲得部２０２が獲得した信号はデータ（ｄａｔａ）処理部２０４に入力される。データ処理部２０４は図示しないメモリ（ｍｅｍｏｒｙ）を有し入力信号を記憶する。データ処理部２０４は例えばコンピュータ（ｃｏｍｐｕｔｅｒ）等によって構成される。データ処理部２０４は、本発明における判定手段の実施の形態の一例である。
【００２８】
データ処理部２０４は、入力信号に基づいて画像を生成し表示部２０６に表示する。データ処理部２０４には操作部２０８が接続されており、使用者によるデータ処理部２０４の操作が可能になっている。
【００２９】
データ処理部２０４は通信部２１０を通じて通信ネットワーク３００に接続されている。これによって、通信ネットワーク３００につながる他の機器とのデータ通信が可能になっている。データ処理部２０４以降の各部を動作させるための電力も電源設備１０８から供給されることはいうまでもない。
【００３０】
図３および図４に、医用画像装置１０４および１０６のブロック図をそれぞれ示す。両図に示すように、医用画像装置１０４は、信号獲得部４０２、データ処理部４０４、表示部４０６、操作部４０８および通信部４１０からなり、医用画像装置１０６は、信号獲得部６０２、データ処理部６０４、表示部６０６、操作部６０８および通信部６１０からなる。各部の接続関係は図２に示したブロック図と同様である。データ処理部４０４は、本発明における判定手段の実施の形態の一例である。データ処理部６０４は、本発明における判定手段の実施の形態の一例である。
【００３１】
医用画像装置１０４はＸ線ＣＴ装置であるから、その信号獲得部４０２は回転するＸ線照射・検出装置を備えたガントリ（ｇａｎｔｒｙ）およびその周辺装置からなる。Ｘ線照射・検出装置を回転させかつＸ線を発生させるための電力ＰＷが電源設備１０８から供給される。データ処理部４０４以降の各部を動作させるための電力も電源設備１０８から供給されることはいうまでもない。
【００３２】
医用画像装置１０６はＸ線撮影装置であるから、その信号獲得部６０２はＸ線照射・検出装置およびその周辺装置からなる。Ｘ線を発生させるための電力ＰＷが電源設備１０８から供給される。データ処理部６０４以降の各部を動作させるための電力も電源設備１０８から供給されることはいうまでもない。
【００３３】
医用画像装置１０２，１０４，１０６による電力使用を管理するための情報通信経路は、既存の情報ネットワークを利用する代わりに電力ＰＷを供給する電力線のネットワークを利用するようにしてもよい。このようにしても、電力使用管理のために専用の通信線を敷設する必要がなくなる。
【００３４】
電力線のネットワークを利用する場合は、医用画像装置１０２，１０４，１０６は、それぞれ図５、図６および図７に示すように、電力線ネットワーク用の通信部２１０’，４１０’，６１０’を備えたものとする。電力線ネットワークは、本発明における通信手段の実施の形態の一例である。
【００３５】
図８に、電力使用管理を行うために通信される主な情報の内容をそれが設定される時期ごとに示す。同図に示すように、設置時すなわち医用画像装置が医療施設に設置され電源設備１０８に接続されたときに、最大許容電力、機器番号および優先順位が設定される。
【００３６】
最大許容電力とは電源設備１０８の最大許容電力であり、電源設備１０８の最大能力に相当する。機器番号とは医用画像装置の機器番号である。優先順位とは医用画像装置による電力使用の優先順位である。優先順位は個々の医用画像装置ごとに固有の順位が割り当てられる。したがって同順位のものは他に存在しない。
【００３７】
これらの情報が設置時に個々の医用画像装置ごとに設定され、それぞれのデータ処理部のメモリに記憶される。以下に述べる他の情報も同様である。なお情報の設定は使用者により操作部を通じて行われる。
【００３８】
待機時には待機電力が設定される。待機電力とは医用画像装置の電源が投入されて待機状態にあるときに使用する電力である。待機電力は個々の医用画像装置ごとに予めわかっておりその値がそれぞれ設定される。待機電力は操作部を通じて使用者により設定される。あるいは、電源投入に伴ってプログラム（ｐｒｏｇｒａｍ）により自動的に設定するようにしてもよい。
【００３９】
条件設定時には、撮影中の最大使用電力および撮影時間が設定される。条件設定時とは医用画像装置において撮影条件を設定したときである。撮影中の最大使用電力とは、撮影実行中に使用する電力の最大値である。撮影時間とは撮影の継続時間である。
【００４０】
ＭＲＩ装置では、勾配磁場およびＲＦ磁場を発生させるための電力が最大使用電力の大部分を占める。Ｘ線ＣＴ装置では、Ｘ線照射およびＸ線照射・検出装置の回転のための電力が最大使用電力の大部分を占める。Ｘ線撮影装置では、Ｘ線照射に要する電力が最大使用電力の大部分を占める。
【００４１】
最大使用電力および撮影時間は撮影条件によって変化するので、撮影条件が設定されたとき、それに応じて最大使用電力および撮影時間の予測値が求められ、それら予測値が設定される。予測値は計算によって求められる。あるいは、種々の撮影条件ごとに前もって計算した予測値を撮影条件に対応づけて記憶しておき、それらを読み出して設定するようにしてもよい。
【００４２】
撮影時には、開始時刻、終了予定時刻およびステータス（ｓｔａｔｕｓ）が設定される。開始時刻とは撮影の実行開始時刻であり、終了予定時刻とは撮影終了の予定時刻である。これは開始時刻から撮影時間後の時刻である。ステータスとは、撮影実行過程における医用画像装置の種々の状態を示す情報である。ステータス情報は医用画像装置の状態の変化に応じて逐一更新される。
【００４３】
以上のような情報が、医用画像装置ごとに設定されそれぞれのメモリに記憶される。これらの情報は通信を通じてすべての医用画像装置間で共有される。各医用画像装置はこれら共有情報を利用して自己の電力使用の可否を判定し、電力使用が可能な場合に撮影を実行する。以下、この共有情報を管理情報ともいう。
【００４４】
図９に、医用画像装置の動作のフロー（ｆｌｏｗ）図を示す。医用画像装置１０２，１０４，１０６はいずれもこのフロー図の通りに動作する。同図に示すように、ステップ（ｓｔｅｐ）９０２で、条件設定すなわち撮影条件の設定が行われる。条件設定は使用者が操作部を操作することによって行われる。この条件設定に伴って、電力使用管理を行うための前述の情報「撮影中の最大使用電力」および「撮影時間」が設定される。
【００４５】
なお、「待機電力」はこのフロー図による動作を開始する前に、医用画像装置の電源投入とともに行われており、また、「最大許容電力」、「機器番号」および「優先順位」は医用画像装置の設置時にすでに行われている。
【００４６】
条件設定後に、ステップ９０４で、電力使用の可否が判定される。電力使用の可否判定はデータ処理部が管理情報を参照して行う。管理情報には電源設備１０８の「最大許容電力」および各医用画像装置の現在の電力使用状態並びにその優先順位が示されているので、この医用画像装置がこれから行う撮影のために新たな電力すなわち最大使用電力が使用可能であるか否かを判定することができる。
【００４７】
「最大許容電力」に対する各医用画像装置の現在の電力使用量および優先順位から見て、撮影のために新たな電力を使用する余地がないときは電力使用が不可である。その場合はステップ９０６で使用者に状況報知を行い、電力使用が可能になるまで待機する。
【００４８】
図１０に、待機中の状況報知の一例を示す。同図に示すように、電力使用については「不可」が表示され、使用可能になるまでの待ち時間が表示される。待ち時間は、管理情報に含まれる「終了予定時刻」から求めた時間が示される。
【００４９】
このとき、現在の電力使用から見て最大使用電力を当初の設定より多少削減することにより電力使用が可能になる場合は、データ処理部から使用者に最大使用電力の削減をその目標値とともに提案するようにしてもよい。これによって、使用者は削減目標に合わせて条件設定をやり直すことにより、撮影実行が可能になる。
【００５０】
電力使用が可能な場合はステップ９０８で撮影を実行する。撮影実行に伴ってこの医用画像装置による撮影の「開始時刻」、「終了予定時刻」および「ステータス」が設定される。この情報は他の医用画像装置によって参照される。
【００５１】
図１１に、医用画像装置１０２，１０４，１０６による電力使用の一例をタイムチャート（ｔｉｍｅ  ｃｈａｒｔ）によって示す。同図の（１），（２），（３）は、それぞれ、医用画像装置１０２，１０４，１０６の撮影のタイムチャートであり、（４）はそれぞれの撮影に伴う電力使用のタイムチャートである。
【００５２】
なお、電力使用の優先順位は、医用画像装置１０２（ＭＲＩ装置）が第１順位、医用画像装置１０４（Ｘ線ＣＴ装置）が第２順位、医用画像装置１０６（Ｘ線撮影装置）が第３順位であるとする。
【００５３】
また、電源設備１０８の最大許容電力は、単一の医用画像装置の撮影に必要な電力を上まわるが、２台以上の医用画像装置の同時撮影に必要な電力を下まわるものとする。
【００５４】
以下、医用画像装置１０２をＭＲＩ装置１０２ともいい、医用画像装置１０４をＸ線ＣＴ装置１０４ともいい、医用画像装置１０６をＸ線撮影装置１０６ともいう。
【００５５】
待機状態にあるＭＲＩ装置１０２、Ｘ線ＣＴ装置１０４およびＸ線撮影装置１０６において、図９に示したステップ９０２の条件設定がそれぞれ行われ、ほぼ同時に条件設定が完了したとすると、図８に示した管理情報のうち条件設定時までの管理情報がＭＲＩ装置１０２、Ｘ線ＣＴ装置１０４およびＸ線撮影装置１０６について出そろう。
【００５６】
これら管理情報に基づいて、ＭＲＩ装置１０２、Ｘ線ＣＴ装置１０４およびＸ線撮影装置１０６はそれぞれステップ９０４の電力使用可否判定を行う。この結果、ＭＲＩ装置１０２においては、自己の優先順位が第１であり、かつすべての医用画像装置が待機電力しか使用されていないことにより、許容最大電力から見て自己が必要とする最大使用電力が使用可能な状態にあると判定される。
【００５７】
これに対して、第２順位のＸ線ＣＴ装置１０４および第３順位のＸ線撮影装置１０６においては、許容最大電力と第１順位のＭＲＩ装置の最大使用電力から見て自己が必要とする最大使用電力が使用不可能な状態にあると判定される。
【００５８】
このような判定に基づいて、ＭＲＩ装置１０２が図１１の（１）に示すように撮影実行を開始する。撮影実行に伴って、図１１の（４）に示すように、使用電力がＭＲＩ装置１０２の最大使用電力に増加する。このような撮影実行状態が、図８に示した撮影時の管理情報に反映される。
【００５９】
Ｘ線ＣＴ装置１０４およびＸ線撮影装置１０６は、電力使用が不可能なことにより状況報知を行いながら待機する。状況報知は例えば図１０に示したように行われ、電力使用不可および待ち時間が表示される。Ｘ線ＣＴ装置１０４では、ＭＲＩ装置１０２の撮影時間に相当する待ち時間が表示される。Ｘ線撮影装置１０６では、ＭＲＩ装置１０２の撮影時間とＸ線ＣＴ装置１０４の撮影時間の和に相当する待ち時間が表示される。
【００６０】
ＭＲＩ装置１０２の撮影が終了したら、待機中のＸ線ＣＴ装置１０４およびＸ線撮影装置１０６のうち、優先順位が高いＸ線ＣＴ装置１０４が図１１の（２）に示すように撮影実行を開始する。これによって、図１１の（４）に示すように、使用電力がＸ線ＣＴ装置１０４の最大使用電力に増加する。また、撮影実行状態が管理情報に反映される。
【００６１】
Ｘ線撮影装置１０６は、電力使用がまだ不可能なことにより状況報知を行いながら待機する。表示される待ち時間はＸ線ＣＴ装置１０４の撮影時間に相当する時間となる。
【００６２】
Ｘ線ＣＴ装置１０４の撮影が終了した後に、それまで待機していたＸ線撮影装置１０６が図１１の（３）に示すように撮影実行を開始する。これによって、図１１の（４）に示すように使用電力がＸ線撮影装置１０６の最大使用電力に増加し、また撮影実行管理情報に反映される。
【００６３】
このように、すべての医用画像装置間で管理情報を共有して協調的に電力使用を行うことにより、電源設備１０８の最大許容電力の範囲内で能率良く電力使用を行うことができる。
【００６４】
なお、上記は電源設備１０８の最大許容電力が、単一の医用画像装置の撮影に必要な電力を上まわるものの２台以上の医用画像装置の同時撮影に必要な電力を下まわるとした場合の例であるが、最大許容電力が複数台の医用画像装置の同時撮影に必要な電力を供給可能である場合は、その供給能力の範囲内で上記に準じた電力使用管理が行われる。
【００６５】
このような電力使用管理においては、優先順位が低い医用画像装置ほど電力使用が後回しになる頻度が多くなり、また待ち時間が長くなる傾向がある。そこで、そのような事態への対策として、優先順位の低いものから高いものへ電力使用権の移転を可能にする手段を設ける。
【００６６】
これは、優先順位が低い医用画像装置の使用者から優先順位が高い医用画像装置の使用者に対して、通信によって電力使用権の移転を要求することを可能にすることによって行う。このようにすることにより、使用権移転要求を受けた使用者が要求内容を検討して許諾可能な場合は使用権を移転し、優先順位が低い医用画像装置に早期に撮影実行の機会を与えることが可能になる。
【００６７】
使用権移転のための通信は、当事者が医用画像装置の操作部を操作することにより行う。また通信されるメッセージ（ｍｅｓｓａｇｅ）等は表示部に表示される。表示部、操作部および通信ネットワークからなる部分は、本発明における通信手段の実施の形態の一例である。
【００６８】
図１２に、電源設備１０８の監視装置１１０をも通信ネットワーク３００に加えた場合のブロック図を示す。同図に示すように、監視装置１１０が通信ネットワーク３００に接続されている。通信を電力線のネットワークを利用して行う場合は、通信ネットワーク３００の代わりに給電線５００に接続されることはいうまでもない。
【００６９】
図１３に、監視装置１１０のブロック図を示す。同図に示すように、監視装置１１０は電力センサ（ｓｅｎｓｏｒ）１１２を有する。電力センサ１１２は給電線５００を通じて給電される電力量を検知してデータ処理部１１４に入力する。データ処理部１１４は入力信号に基づいて電源設備１０８の給電量を監視し、最大許容電力を超えるときはブレーカ１１６を作動させる。
【００７０】
データ処理部１１４は、また、通信部１１８を通じて医用画像装置１０２，１０４，１０６との通信を行い管理情報を共有する。このようにすることにより、医用画像装置１０２，１０４，１０６のいずれか過大な電力を使用したときはそれを強制的に停止させて、ブレーカ１１６の作動のような電源設備１０８内での異常事態の発生を防止することが可能となる。データ処理部１１４は、本発明における決定手段の実施の形態の一例である。
【００７１】
このような異常事態への対処に加えて、電力使用管理を監視装置１１０で一元的に行うようにしてもよい。監視装置１１０はすべての管理情報を把握しているので、各医用画像装置の電力使用を一元的に管理することが可能である。
【００７２】
以上、電源設備を共有する複数の機器が医用画像装置である例によって本発明を説明したが、本発明における複数の機器は医用画像装置に限るものではない。
【００７３】
【発明の効果】
以上詳細に説明したように、本発明によれば、電源設備の最大許容電力の範囲内で複数の機器が能率良く電力を使用することを可能にする電力使用管理システムを実現することができる。
【図面の簡単な説明】
【図１】電源設備を共有する医用画像装置群のブロック図である。
【図２】医用画像装置のブロック図である。
【図３】医用画像装置のブロック図である。
【図４】医用画像装置のブロック図である。
【図５】医用画像装置のブロック図である。
【図６】医用画像装置のブロック図である。
【図７】医用画像装置のブロック図である。
【図８】管理情報の一例を示す図である。
【図９】医用画像装置の動作のフロー図である。
【図１０】状況表示の一例を示す図である。
【図１１】電源使用管理の一例を示すタイムチャートである。
【図１２】電源設備を共有する医用画像装置群のブロック図である。
【図１３】監視装置のブロック図である。
【符号の説明】
１０２，１０４，１０６  医用画像装置
１０８  電源設備
１１０  監視装置
３００  通信ネットワーク
２０２，４０２，６０２  信号獲得部
２０４，４０４，６０４，１１４  データ処理部
２０６，４０６，６０６  表示部
２０８，４０８，６０８  操作部
２１０，２１０’，４１０，４１０’，６１０，６１０’，１１６  通信部
１１２  電力センサ
【図１】
0004660029.tif 000002
【図２】
0004660029.tif 000003
【図３】
0004660029.tif 000004
【図４】
0004660029.tif 000005
【図５】
0004660029.tif 000006
【図６】
0004660029.tif 000007
【図７】
0004660029.tif 000008
【図８】
0004660029.tif 000009
【図９】
0004660029.tif 000010
【図１０】
0004660029.tif 000011
【図１１】
0004660029.tif 000012
【図１２】
0004660029.tif 000013
【図１３】
0004660029.tif 000014